(57)【要約】      （修正有）【課題】どんな環境でもクリアな音声通信を可能にするマイクモード切り換え機能付きイヤホンマイクを提供する。【解決手段】本体１と、該本体上部に設けられるイヤホン部２と、該本体下部に設けられ、普通のマイクと震動マイクを具えるマイク３と、該本体表面に設けられる切換部４と、該本体内部に設けられ、該イヤホン部、該マイク、及び該切換部と電気的に接続される回路装置とによって構成する。【選択図】図１
0003159169.tif 000002
【実用新案登録請求の範囲】
【請求項１】
本体と、
該本体上部に設けられるイヤホン部と、
該本体下部に設けられ、普通のマイクと震動マイクを具えるマイクと、
該本体表面に設けられる切換部と、
該本体内部に設けられ、該イヤホン部、該マイク、及び該切換部と電気的に接続される回路装置と、によって構成することを特徴とするマイクモード切り換え機能付きイヤホンマイク。
【請求項２】
該マイクモード切り換え機能付きイヤホンマイクは、ブルートゥース（商標登録）ワイヤレスイヤホンマイク又は有線イヤホンマイクであることを特徴とする、請求項１に記載のマイクモード切り換え機能付きイヤホンマイク。
【請求項３】
該切換部はボタン式であることを特徴とする、請求項１に記載のマイクモード切り換え機能付きイヤホンマイク。
【請求項４】
該回路装置はＩＣチップと切換回路を具え、該ＩＣチップの一端は該切換回路の一端に電気的に接続され、該ＩＣチップの他端は該切換部に電気的に接続され、該切換回路の他端は該マイクに電気的に接続されることを特徴とする、請求項３に記載のマイクモード切り換え機能付きイヤホンマイク。
【請求項５】
該切換部はスライド式であり、該回路装置はＩＣチップを具え、該ＩＣチップは該切換部に電気的に接続され、該切換部は該マイクに電気的に接続されることを特徴とする、請求項１に記載のマイクモード切り換え機能付きイヤホンマイク。
【考案の詳細な説明】
【技術分野】
【０００１】
本考案は、どんな環境でもクリアな音声通信が可能なマイクモード切り換え機能付きイヤホンマイクに関する。
【背景技術】
【０００２】
科学技術が発達するに従い、コミュニケーションの方法は多元化してきている。今や、手紙や電話回線の電話を利用した方法だけでなく、イヤホンマイクと無線技術やインターネットのネットワークを利用することで、時間や空間の制限を受けることなく遠距離のコミュニケーション行うことができるようになっている。
【０００３】
市場で見られる大部分の有線・無線イヤホンマイクは普通のマイクが採用されている。しかし、普通のマイクは使用者の声以外の周りの環境音も拾ってしまいやすいため、使用者が騒がしい環境で通話している場合、多くの余計な雑音信号を拾ってしまい通話の相手との会話に支障をきたす。従って、雑音信号を拾ってしまいやすいという問題を如何に克服するかが、イヤホンマイクによる通信の品質を向上させるための重要な課題である。
【考案の概要】
【考案が解決しようとする課題】
【０００４】
本考案は、普通のマイクモードと震動マイクモードという二つのモードを切り換えることで、どんな環境でもクリアな音声通信を可能にするマイクモード切り換え機能付きイヤホンマイクを提供することを目的とする。
【課題を解決するための手段】
【０００５】
上記の目的を達成するために、本考案によるマイクモード切り換え機能付きイヤホンマイクは、本体と、該本体上部に設けられるイヤホン部と、該本体下部に設けられ、普通のマイクと震動マイクを具えるマイクと、該本体表面に設けられる切換部と、該本体内部に設けられ、該イヤホン部、該マイク、及び該切換部と電気的に接続される回路装置とによって構成する。
【考案の効果】
【０００６】
本考案によるマイクモード切り換え機能付きイヤホンマイクは、普通のマイクモードと震動マイクモードという二つのモードを切り換えることで、どんな環境でもクリアな音声通信を可能にする。静かな環境では普通のマイクモードを使用し、騒がしい環境（例えば、車の中、飛行場、アミューズメント施設内等）では震動マイクモードに切り換える。震動マイクは、マイクに近づけた使用者の声を主に拾い、周囲の騒がしい雑音を抑制するので、通話の相手は使用者の声を常にクリアに聴くことができる。
【図面の簡単な説明】
【０００７】
【図１】切換部がボタン式である本考案のマイクモード切り換え機能付きイヤホンマイクの外観を示した斜視図である。
【図２】切換部がスライド式である本考案のマイクモード切り換え機能付きイヤホンマイクの外観を示した斜視図である。
【図３】切換部がスライド式である本考案のマイクモード切り換え機能付きイヤホンマイクの回路図である。
【図４】切換部がスライド式である本考案のマイクモード切り換え機能付きイヤホンマイクの回路図である。
【考案を実施するための形態】
【０００８】
本考案の特徴及び技術内容を一層理解できるよう、以下に本考案の添付図面を参照しながら詳細説明を行う。しかしながら、添付図面は参考と説明用に供したに過ぎず、本考案に制限を課すものではない。
【実施例１】
【０００９】
図１と図３に示すように、本考案によるマイクモード切り換え機能付きイヤホンマイクは、本体１、イヤホン部２、マイク３、切換部４、及び回路装置５によって構成する。
【００１０】
本体１の形状は棒状であり、イヤホン部２は本体１の上部に設け、マイク３は本体１の下部に設け、マイク３は普通のマイク３１と震動マイク３２を具え、切換部４は本体１の表面に設ける。回路装置５は本体１の内部に設け、イヤホン部２、マイク３、及び切換部４に電気的に接続する。
【００１１】
本考案を使用する時は、イヤホン部２を使用者の耳に、本体１を使用者の頬の近くに、マイク３を使用者の口か喉の近くに位置させる。
【００１２】
マイクモード切り換え機能付きイヤホンマイクは、ブルートゥース（商標登録）ワイヤレスイヤホンマイクや有線イヤホンマイクである。切換部４はボタン式（図１に図示）やスライド式（図２に図示）であり、切換部４によって二種類のマイク３を切り換えることができる。
【００１３】
切換部４はボタン式であり、回路装置５はＩＣチップ５１と切換回路５２を具え、ＩＣチップ５１の一端は切換回路５２の一端に電気的に接続し、ＩＣチップ５１の他端は切換部４の一端に電気的に接続し、切換回路５２の他端はマイク３に電気的に接続する。ボタン式切換部４が操作されるとＩＣチップ５１は切換回路５２に信号を伝送し、それによりＩＣチップ５１の接続先が、普通のマイク３１から震動マイク３２に、或いは震動マイク３２から普通のマイク３１に切り替わる。このようにして、二種類のマイク３モードの切り替えを行う。
【００１４】
使用者は使用環境に応じてマイク３の種類を選択することができる。例えば、本考案を携帯電話に接続し普通のマイク３１モードで通話している際、もし使用者がその環境が騒がしいと判断した時は、切換部４のボタンを一定時間押すだけで震動マイク３２モードに切り換えることができ、震動マイク３２は周囲の騒がしい雑音を抑制するので、通話の相手は使用者の声をクリアに聴くことができる。また、普通のマイク３１に戻したい時は、切換部４のボタンを再度一定時間押すだけで、普通のマイク３１モードに切り替えることができる。
【実施例２】
【００１５】
図２と図４を参照する。切換部４はスライド式であり、回路装置５はＩＣチップ５１を具え、ＩＣチップ５１は切換部４と電気的に接続し、切換部４はマイク３と電気的に接続する。スライド式切換部４が操作されると、ＩＣチップ５１の接続先が普通のマイク３１から震動マイク３２に、或いは震動マイク３２から普通のマイク３１に切り替わる。このようにして、二種類のマイク３モードの切り替えを行う。
【００１６】
使用者は使用環境に応じてマイク３の種類を選択することができる。例えば、本考案を携帯電話に接続し普通のマイク３１モードで通話している際、もし使用者がその環境が騒がしいと判断した時は、切換部４をスライドさせて震動マイク３２を選択するだけで震動マイク３２モードに切り換えることができ、震動マイク３２は周囲の騒がしい雑音を抑制するので、通話の相手は使用者の声をクリアに聴くことができる。また、普通のマイク３１に戻したい時は、切換部４をスライドさせて普通のマイク３１を選択するだけで、普通のマイク３１モードに切り替えることができる。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
１    本体
２    イヤホン部
３    マイク
３１  普通のマイク
３２  震動マイク
４    切換部
５    回路装置
５１  ＩＣチップ
５２  切換回路
【図１】
0003159169.tif 000003
【図２】
0003159169.tif 000004
【図３】
0003159169.tif 000005
【図４】
0003159169.tif 000006
【手続補正書】
【提出日】平成22年3月10日(2010.3.10)
【手続補正１】
【補正対象書類名】明細書
【補正対象項目名】全文
【補正方法】変更
【補正の内容】
【考案の詳細な説明】
【技術分野】
【０００１】
本考案は、どんな環境でもクリアな音声通信が可能なマイクモード切り換え機能付きイヤホンマイクに関する。
【背景技術】
【０００２】
科学技術が発達するに従い、コミュニケーションの方法は多元化してきている。今や、手紙や電話回線の電話を利用した方法だけでなく、イヤホンマイクと無線技術やインターネットのネットワークを利用することで、時間や空間の制限を受けることなく遠距離のコミュニケーション行うことができるようになっている。
【０００３】
市場で見られる大部分の有線・無線イヤホンマイクは普通の音声マイクが採用されている。しかし、普通の音声マイクは使用者の声以外の周りの環境音も拾ってしまいやすいため、使用者が騒がしい環境で通話している場合、多くの余計な雑音信号を拾ってしまい通話の相手との会話に支障をきたす。従って、雑音信号を拾ってしまいやすいという問題を如何に克服するかが、イヤホンマイクによる通信の品質を向上させるための重要な課題である。
【考案の概要】
【考案が解決しようとする課題】
【０００４】
本考案は、普通の音声マイクモードと震動マイクモードという二つのモードを切り換えることで、どんな環境でもクリアな音声通信を可能にするマイクモード切り換え機能付きイヤホンマイクを提供することを目的とする。
【課題を解決するための手段】
【０００５】
上記の目的を達成するために、本考案によるマイクモード切り換え機能付きイヤホンマイクは、本体と、該本体上部に設けられるイヤホン部と、該本体下部に設けられ、音声マイクと震動マイクを具えるマイクと、該本体表面に設けられ、該音声マイクと該震動マイクを切り換える切換部と、該本体内部に設けられ、該イヤホン部、該マイク、及び該切換部と電気的に接続される回路装置とによって構成する。
【考案の効果】
【０００６】
本考案によるマイクモード切り換え機能付きイヤホンマイクは、普通の音声マイクモードと震動マイクモードという二つのモードを切り換えることで、どんな環境でもクリアな音声通信を可能にする。静かな環境では音声マイクモードを使用し、騒がしい環境（例えば、車の中、飛行場、アミューズメント施設内等）では震動マイクモードに切り換える。震動マイクは、マイクに近づけた使用者の声を主に拾い、周囲の騒がしい雑音を抑制するので、通話の相手は使用者の声を常にクリアに聴くことができる。
【図面の簡単な説明】
【０００７】
【図１】切換部がボタン式である本考案のマイクモード切り換え機能付きイヤホンマイクの外観を示した斜視図である。
【図２】切換部がスライド式である本考案のマイクモード切り換え機能付きイヤホンマイクの外観を示した斜視図である。
【図３】切換部がスライド式である本考案のマイクモード切り換え機能付きイヤホンマイクの回路図である。
【図４】切換部がスライド式である本考案のマイクモード切り換え機能付きイヤホンマイクの回路図である。
【考案を実施するための形態】
【０００８】
本考案の特徴及び技術内容を一層理解できるよう、以下に本考案の添付図面を参照しながら詳細説明を行う。しかしながら、添付図面は参考と説明用に供したに過ぎず、本考案に制限を課すものではない。
【実施例１】
【０００９】
図１と図３に示すように、本考案によるマイクモード切り換え機能付きイヤホンマイクは、本体１、イヤホン部２、マイク３、切換部４、及び回路装置５によって構成する。
【００１０】
本体１の形状は棒状であり、イヤホン部２は本体１の上部に設け、マイク３は本体１の下部に設け、マイク３は普通の音声マイク３１と震動マイク３２を具え、切換部４は本体１の表面に設ける。回路装置５は本体１の内部に設け、イヤホン部２、マイク３、及び切換部４に電気的に接続する。
【００１１】
本考案を使用する時は、イヤホン部２を使用者の耳に、本体１を使用者の頬の近くに、マイク３を使用者の口か喉の近くに位置させる。
【００１２】
マイクモード切り換え機能付きイヤホンマイクは、近距離無線通信規格の一つであるBluetooth（登録商標）ワイヤレスイヤホンマイクや有線イヤホンマイクである。切換部４はボタン式（図１に図示）やスライド式（図２に図示）であり、切換部４によって二種類のマイク３を切り換えることができる。
【００１３】
切換部４はボタン式であり、回路装置５はＩＣチップ５１と切換回路５２を具え、ＩＣチップ５１の一端は切換回路５２の一端に電気的に接続し、ＩＣチップ５１の他端は切換部４の一端に電気的に接続し、切換回路５２の他端はマイク３に電気的に接続する。ボタン式切換部４が操作されるとＩＣチップ５１は切換回路５２に信号を伝送し、それによりＩＣチップ５１の接続先が、音声マイク３１から震動マイク３２に、或いは震動マイク３２から音声マイク３１に切り替わる。このようにして、二種類のマイク３モードの切り替えを行う。
【００１４】
使用者は使用環境に応じてマイク３の種類を選択することができる。例えば、本考案を携帯電話に接続し音声マイク３１モードで通話している際、もし使用者がその環境が騒がしいと判断した時は、切換部４のボタンを一定時間押すだけで震動マイク３２モードに切り換えることができ、震動マイク３２は周囲の騒がしい雑音を抑制するので、通話の相手は使用者の声をクリアに聴くことができる。また、音声マイク３１に戻したい時は、切換部４のボタンを再度一定時間押すだけで、音声マイク３１モードに切り替えることができる。
【実施例２】
【００１５】
図２と図４を参照する。切換部４はスライド式であり、回路装置５はＩＣチップ５１を具え、ＩＣチップ５１は切換部４と電気的に接続し、切換部４はマイク３と電気的に接続する。スライド式切換部４が操作されると、ＩＣチップ５１の接続先が音声マイク３１から震動マイク３２に、或いは震動マイク３２から音声マイク３１に切り替わる。このようにして、二種類のマイク３モードの切り替えを行う。
【００１６】
使用者は使用環境に応じてマイク３の種類を選択することができる。例えば、本考案を携帯電話に接続し音声マイク３１モードで通話している際、もし使用者がその環境が騒がしいと判断した時は、切換部４をスライドさせて震動マイク３２を選択するだけで震動マイク３２モードに切り換えることができ、震動マイク３２は周囲の騒がしい雑音を抑制するので、通話の相手は使用者の声をクリアに聴くことができる。また、音声マイク３１に戻したい時は、切換部４をスライドさせて普通のマイク３１を選択するだけで、音声マイク３１モードに切り替えることができる。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
１    本体
２    イヤホン部
３    マイク
３１  音声マイク
３２  震動マイク
４    切換部
５    回路装置
５１  ＩＣチップ
５２  切換回路
【手続補正２】
【補正対象書類名】実用新案登録請求の範囲
【補正対象項目名】全文
【補正方法】変更
【補正の内容】
【実用新案登録請求の範囲】
【請求項１】
本体と、
該本体上部に設けられるイヤホン部と、
該本体下部に設けられ、音声マイクと震動マイクを具えるマイクと、
該本体表面に設けられ、該音声マイクと該震動マイクを切り換える切換部と、
該本体内部に設けられ、該イヤホン部、該マイク、及び該切換部と電気的に接続される回路装置と、によって構成することを特徴とするマイクモード切り換え機能付きイヤホンマイク。
【請求項２】
該マイクモード切り換え機能付きイヤホンマイクは、近距離無線通信ワイヤレスイヤホンマイク又は有線イヤホンマイクであることを特徴とする、請求項１に記載のマイクモード切り換え機能付きイヤホンマイク。
【請求項３】
該切換部はボタン式であることを特徴とする、請求項１に記載のマイクモード切り換え機能付きイヤホンマイク。
【請求項４】
該回路装置はＩＣチップと切換回路を具え、該ＩＣチップの一端は該切換回路の一端に電気的に接続され、該ＩＣチップの他端は該切換部に電気的に接続され、該切換回路の他端は該マイクに電気的に接続されることを特徴とする、請求項３に記載のマイクモード切り換え機能付きイヤホンマイク。
【請求項５】
該切換部はスライド式であり、該回路装置はＩＣチップを具え、該ＩＣチップは該切換部に電気的に接続され、該切換部は該マイクに電気的に接続されることを特徴とする、請求項１に記載のマイクモード切り換え機能付きイヤホンマイク。